(57)【要約】      （修正有）【課題】目標温度とそのときの室内温度との関係が最適な状況にあるかを一目で判断できる空調コントローラを提供することにある。【解決手段】空調コントローラは、少なくとも１台以上の室内ユニットを有する空気調和装置の制御設定を行うことが可能な空調コントローラであって、室内温度取得手段と、目標温度設定手段と、表示手段３３とを備える。室内温度取得手段は、室内温度に関する室内温度情報を取得する。目標温度設定手段は、室内機の目標温度を設定可能である。表示手段３３は、室内機の運転状態を示すアイコン４を表示する。表示手段３３は、アイコン４の表示形態または表示色を、室内温度と目標温度との差に応じて変更して表示する。【選択図】図３
2011027380.tif 000002
【特許請求の範囲】
【請求項１】
少なくとも１台以上の室内機（２２）を有する空気調和装置（２）の制御設定を行うことが可能な空調コントローラ（３）であって、
室内温度に関する室内温度情報を取得する室内温度取得手段（３５）と、
前記室内機の目標温度を設定可能な目標温度設定手段（３４）と、
前記室内機の運転状態を示すアイコンを表示する表示手段（３３）と、
を備え、
前記表示手段は、前記室内温度と前記目標温度との差に応じて、前記アイコンの表示形態または表示色を変更して表示する、
空調コントローラ（３）。
【請求項２】
前記表示手段は、前記表示形態または前記表示色を３以上の表示態様により表示可能であり、前記目標温度の前後の許容範囲内に前記室内温度が収まっている場合に所定の表示態様により表示する、
請求項１に記載の空調コントローラ（３）。
【請求項３】
前記表示手段は、前記アイコンの前記表示態様を所定期間毎に自動的に更新する自動表示更新を行う、
請求項２に記載の空調コントローラ（３）。
【請求項４】
前記表示手段は、前記目標温度の前後の許容範囲から前記室内温度が外れている場合に、外れている度合いに応じて段階的に前記表示態様を変更する、
請求項２または３に記載の空調コントローラ（３）。
【請求項５】
前記表示手段は、前記目標温度の前後の許容範囲内に前記室内温度が収まっている場合に前記アイコンを第１の色により表示し、前記目標温度の前後の許容範囲から前記室内温度が外れている場合に前記アイコンを前記第１の色とは異なる第２の色または第３の色により表示する、
請求項４の記載の空調コントローラ（３）。
【請求項６】
前記表示手段は、前記目標温度の前後の許容範囲から前記室内温度が外れている場合に外れている度合いに応じて段階的に前記第２の色または前記第３の色の濃度を変更して前記アイコンを表示する、
請求項５に記載の空調コントローラ（３）。
【請求項７】
少なくとも前記目標温度設定手段を操作可能な操作手段（３４）を、
さらに備え、
前記表示手段は、前記操作手段による操作が行われていない場合においても、前記自動表示更新を行う、
請求項３から６のいずれかに記載の空調コントローラ（３）。
【請求項８】
前記表示手段は、前記目標温度または前記室内温度を数値でさらに表示可能である、
請求項１から７のいずれかに記載の空調コントローラ（３）。
【請求項９】
前記空気調和装置（２）は複数台の室内機（２１）を有し、
前記表示手段は、前記複数台の室内機を同時に表示可能である、
請求項１から８のいずれかに記載の空調コントローラ（３）。
【請求項１０】
請求項１から９のいずれかに記載の空調コントローラ（３）と、
前記空気調和装置（２）と、
室内の温度を検出し、前記室内の温度を前記室内温度情報として送信可能な室内温度検出手段（Ｔ１）と、
を備える空気調和制御システム（３）。
【発明の詳細な説明】
【技術分野】
【０００１】
本発明は、空気調和装置の運転状態を表示する表示部を有する空調コントローラに関する。
【背景技術】
【０００２】
従来、空調コントローラには、冷房運転、暖房運転、送風運転などの運転モードを選択でき、どの運転モードが行われているかを表示する特許文献１（特開２００１−９９４５７号公報）がある。また、特許文献１（特開２００１−９９４５７号公報）では、選択された運転モード（冷房運転および暖房運転）において、目標温度を表示する目標温度表示部がある。また、運転状態や目標温度だけでなくその時の室内温度を同時に表示したり、あるいは表示部の設定を切り換えてその時の室内温度を表示したりできるものがある。
【発明の概要】
【発明が解決しようとする課題】
【０００３】
しかしながら、目標温度や室内温度のどちらか一方を表示している場合には、そのときの室内温度が目標温度に適した状態であるかを一目で判断できない。また、目標温度および室内温度の両方を表示できる場合には、そのときの室内温度が目標温度に適した状態であるかを、目標温度と室内温度との数値を比較して判断する必要がある。このように、その時の室内温度が目標温度に対してどのような状況にあるのかを瞬時に判断することは、利用者の負担になりやすい。
【０００４】
本発明の課題は、目標温度とそのときの室内温度との関係が最適な状況にあるかを一目で判断できる空調コントローラを提供することにある。
【課題を解決するための手段】
【０００５】
第１発明に係る空調コントローラは、少なくとも１台以上の室内機を有する空気調和装置の制御設定を行うことが可能な空調コントローラであって、室内温度取得手段と、目標温度設定手段と、表示手段とを備える。室内温度取得手段は、室内温度に関する室内温度情報を取得する。目標温度設定手段は、室内機の目標温度を設定可能である。表示手段は、室内機の運転状態を示すアイコンを表示する。表示手段は、室内温度と目標温度との差に応じて、アイコンの表示形態または表示色を変更して表示する。
【０００６】
本発明の空調コントローラでは、予め設定された目標温度と検出されている室内温度との関係に基づいて、空気調和装置を表すアイコンの表示形態または表示色を変更する。
【０００７】
したがって、目標温度と室内温度との差がどのくらい有るのかを利用者が直感的に認識することができる。このため、利用者は、目標温度と室内温度とに基づいて室内温度が目標温度の前後の所定範囲に収まっているか否かを、例えば室内温度と目標温度とを認識した後に計算するなどして判断しなくとも、室内温度と目標温度との関係を把握することができる。
【０００８】
第２発明に係る空調コントローラは、第１発明に係る空調コントローラであって、表示手段は、表示形態または表示色を３以上の表示態様により表示可能であり、目標温度の前後の許容範囲内に室内温度が収まっている場合に所定の表示態様により表示する。
【０００９】
本発明の空調コントローラでは、表示手段が、３以上の表示態様によりアイコンを表示できる。また、許容範囲内に室内温度が収まっている時には所定の表示態様によりアイコンが表示される。ここで、アイコンの表示態様が３以上なのは、許容範囲内に収まっている場合が１種類であり、許容範囲に収まっていない場合が２種類考えられるからである。なお、許容範囲内に収まっていない場合が２種類有るのは、室内温度が許容範囲の上限よりも高い場合と、室内温度が許容範囲の下限よりも低い場合とが考えられるからである。
【００１０】
したがって、表示手段は、室内温度が許容範囲の上限よりも高い場合と、室内温度が許容範囲内の場合と、室内温度が許容範囲の下限よりも低い場合との３つの状態をそれぞれ異なる表示態様にして表示することができる。このため、利用者は、室内温度と目標温度との関係が上記の３つの状態のうちのいずれかであることを直感的に認識することができる。
【００１１】
第３発明に係る空調コントローラは、第２発明に係る空調コントローラであって、表示手段は、アイコンの表示態様を所定期間毎に自動的に更新する自動表示更新を行う。
【００１２】
本発明の空調コントローラでは、表示手段がアイコンの表示態様を所定期間毎（例えば１分毎）に自動更新して表示する。したがって、表示手段は、室内温度と目標温度との関係がどの状態にあるかを、極力最新の情報に更新して表示することができる。このため、表示手段に表示されている状態と、その時の室内温度と目標温度との関係と、にズレが生じることを防ぐことができる。
【００１３】
第４発明に係る空調コントローラは、第２発明または第３発明に係る空調コントローラであって、表示手段は、目標温度の前後の許容範囲から室内温度が外れている場合に、外れている度合いに応じて段階的に表示態様を変更する。
【００１４】
したがって、室内温度がどの程度許容範囲から外れているのかを表示することができる。このため、現在の室内温度の目標温度に対する関係を把握することができる。
【００１５】
第５発明に係る空調コントローラは、第４発明に係る空調コントローラであって、表示手段は、目標温度の前後の許容範囲内に室内温度が収まっている場合にアイコンを第１の色により表示し、目標温度の前後の許容範囲から室内温度が外れている場合にアイコンを第１の色とは異なる第２の色または第３の色により表示する。
【００１６】
本発明では、室内温度が許容範囲に収まっている場合に第１の色でアイコンを表示し、室内温度が許容範囲に収まっていない場合に第２の色または第３の色により表示する。上述したように、室内温度が許容範囲に収まっていない場合には、室内温度が許容範囲の上限よりも高い場合と、室内温度が許容範囲の下限よりも低い場合との２種類が想定される。
【００１７】
したがって、室内温度が許容範囲に収まっている場合と、室内温度が許容範囲の上限よりも高い場合と、室内温度が許容範囲の下限よりも低い場合との３つの場合に応じて、それぞれ異なる表示色でアイコンを表示させることができる。このため、利用者は、室内温度と目標温度との関係が上記の３つの状態のうちのいずれかであることを、容易に認識することができる。
【００１８】
第６発明に係る空調コントローラは、第５発明に係る空調コントローラであって、表示手段は、目標温度の前後の許容範囲から室内温度が外れている場合に外れている度合いに応じて段階的に第２の色または第３の色の濃度を変更してアイコンを表示する。
【００１９】
本発明の空調コントローラでは、許容範囲の上限よりも高い場合の許容範囲からの外れ度合い、および、許容範囲の下限よりも低い場合の許容範囲からの外れ度合い、に応じて表示色の濃度を変更する。許容範囲から外れている場合には、上述のように許容範囲の上限よりも高い場合と、許容範囲の下限よりも低い場合との２種類がある。そして、この２種類の場合は、許容範囲から外れる方向が全く異なる。ここでいう「許容範囲から外れる方向」は、許容範囲に対して高くなる方向と、許容範囲に対して低くなる方向とを意味する。
【００２０】
このように、２つの場合の表示色を２通りで表示し、かつ、表示色の濃度を変更することにより、許容範囲からどの方向にどの程度室内温度が外れているのかを表現できる。したがって、利用者は、アイコンを確認するのみで室内温度と目標温度との関係を直感的に認識できる。
【００２１】
第７発明に係る空調コントローラは、第３発明から第６発明のいずれかに係る空調コントローラであって、少なくとも目標温度設定手段を操作可能な操作手段をさらに備える。表示手段は、操作手段による操作が行われていない場合においても、自動表示更新を行う。
【００２２】
本発明の空調コントローラでは、非操作時においても表示態様の更新を行う。したがって、操作手段による操作が行われていない場合であっても常に表示態様の更新が自動的に行われる。このため、利用者は室内温度と目標温度との関係がどの状態にあるのかを常に最新の情報として認識できる。
【００２３】
第８発明に係る空調コントローラは、第１発明から第７発明に係る空調コントローラであって、表示手段は、目標温度または室内温度を数値でさらに表示可能である。
【００２４】
本発明の空調コントローラでは、目標温度または室内温度を数値で補助的に表示する。したがって、特に操作せずとも、目標温度または室内温度を確認できる。このため、利用者は省エネや快適性などの観点からよりきめ細かい対応をすることができる。
【００２５】
第９発明に係る空調コントローラは、第１発明から第８発明に係る空調コントローラであって、空気調和装置は複数台の室内機を有する。表示手段は、複数台の室内機を同時に表示可能である。
【００２６】
本発明の空調コントローラでは、複数台の室内機における目標温度と室内温度との関係を表示できる。したがって、複数台の室内機がある場合に各室内機における目標温度と室内温度との関係がどのような状態にあるかを直感的に認識することができる。このため、利用者は、目標温度と室内温度とに基づいて室内温度が目標温度の前後の所定範囲に収まっているか否かを、例えば室内温度と目標温度とを認識した後に計算するなどして判断しなくとも、室内温度と目標温度との関係を把握することができる。
【００２７】
第１０発明に係る空気調和制御システムは、空調コントローラと、空気調和装置と、室内温度検出手段とを備える。空調コントローラは、請求項１から９のいずれかに記載の空調コントローラである。室内温度検出手段は、室内の温度を検出し、室内の温度を室内温度情報として送信する。
【００２８】
本発明の空気調和制御システムでは、予め設定された目標温度と検出されている室内温度との関係に基づいて、空気調和装置を表すアイコンの表示形態または表示色を変更する。
【００２９】
したがって、目標温度と室内温度との差がどのくらい有るのかを利用者が直感的に認識することができる。このため、利用者は、目標温度と室内温度とに基づいて室内温度が目標温度の前後の所定範囲に収まっているか否かを、例えば室内温度と目標温度とを認識した後に計算するなどして判断しなくとも、室内温度と目標温度との関係を把握することができる。
【発明の効果】
【００３０】
第１発明に係る空調コントローラでは、目標温度と室内温度との差がどのくらい有るのかを利用者が直感的に認識することができる。このため、利用者は、目標温度と室内温度とに基づいて室内温度が目標温度の前後の所定範囲に収まっているか否かを、例えば室内温度と目標温度とを認識した後に計算するなどして判断しなくとも、室内温度と目標温度との関係を把握することができる。
【００３１】
第２発明に係る空調コントローラでは、表示手段は、室内温度が許容範囲の上限よりも高い場合と、室内温度が許容範囲内の場合と、室内温度が許容範囲の下限よりも低い場合との３つの状態を表示することができる。このため、利用者は、室内温度と目標温度との関係が上記の３つの状態のうちのいずれかであることを直感的に認識することができる。
【００３２】
第３発明に係る空調コントローラでは、表示手段は、室内温度と目標温度との関係がどの状態にあるかを、極力最新の情報に更新して表示することができる。このため、表示手段に表示されている状態と、その時の室内温度と目標温度との関係とにズレが生じることを防ぐことができる。
【００３３】
第４発明に係る空調コントローラでは、室内温度がどの程度許容範囲から外れているのかを表示することができる。このため、現在の室内温度の目標温度に対する関係を把握することができる。
【００３４】
第５発明に係る空調コントローラでは、室内温度が許容範囲に収まっている場合と、室内温度が許容範囲の上限よりも高い場合と、室内温度が許容範囲の下限よりも低い場合との３つの場合に応じて、それぞれ異なる表示色でアイコンを表示させることができる。このため、利用者は、室内温度と目標温度との関係が上記の３つの状態のうちのいずれかであることを、容易に認識することができる。
【００３５】
第６発明に係る空調コントローラでは、２つの場合の表示色を２通りで表示し、かつ、表示色の濃度を変更することにより、どの程度許容範囲からどの方向に室内温度が外れているのかを表現する。したがって、２つの場合のうちのどちら側にどの程度外れているのかを直感的に認識しやすくできる。
【００３６】
第７発明に係る空調コントローラでは、操作手段による操作が行われていない場合であっても常に表示態様の更新が自動的に行われる。このため、利用者は室内温度と目標温度との関係がどの状態にあるのかを常に最新の情報として認識できる。
【００３７】
第８発明に係る空調コントローラでは、特に操作せずとも、目標温度または室内温度を確認できる。このため、利用者は省エネや快適性などの観点からよりきめ細かい対応をすることができる。
【００３８】
第９発明に係る空調コントローラでは、複数台の室内機がある場合に各室内機における目標温度と室内温度との関係がどのような状態にあるかを直感的に認識することができる。このため、利用者は、目標温度と室内温度とに基づいて室内温度が目標温度の前後の所定範囲に収まっているか否かを、例えば室内温度と目標温度とを認識した後に計算するなどして判断しなくとも、室内温度と目標温度との関係を把握することができる。
【００３９】
第１０発明に係る空気調和制御システムでは、予め設定された目標温度と室内温度との関係に基づいて、空気調和装置を表すアイコンの表示形態または表示色を変更する。このため、利用者は、目標温度と室内温度とに基づいて室内温度が目標温度の前後の所定範囲に収まっているか否かを、例えば室内温度と目標温度とを認識した後に計算するなどして判断しなくとも、室内温度と目標温度との関係を把握することができる。
【図面の簡単な説明】
【００４０】
【図１】本発明の一実施形態に係る空気調和装置制御システムの概略構成図である。
【図２】空調コントローラの概略構成図である。
【図３】表示部を表す概略図である。
【図４】アイコンが表示される際の色と温度との関係を示す図である。
【図５】変形例（１）における表示部を表す概略図である。
【図６】変形例（２）におけるアイコンを表す概略図である。
【発明を実施するための形態】
【００４１】
以下、図面に基づいて、本発明に係る空気調和装置制御システム１の実施形態について説明する。
【００４２】
＜空気調和装置制御システム＞
図１は、本発明の一実施形態に係る空気調和装置制御システム１の概略構成図である。空気調和装置制御システム１は、複数台の空気調和装置２の運転制御を行う。空気調和装置制御システム１は、主に、空気調和装置２および空調コントローラ３から構成される。
【００４３】
なお、この空気調和装置制御システム１において、空気調和装置２は、空調コントローラ３によって監視および制御される。
【００４４】
（１）空気調和装置の構成
空気調和装置２は、複数台の室外ユニット２１と、複数台の室内ユニット２２とから構成される。室外ユニットは、建物の外側に設置されている。室内ユニット２２は、建物の室内の天井に埋め込みや吊り下げ等、または、室内の壁面に壁掛け等により設置されている。室外ユニット２１と室内ユニット２２とは、冷媒連絡配管を介して接続され、冷媒回路（図示せず）を形成する。また、本実施形態では、１台の室外ユニットに対して複数台の室内ユニット２２が接続される。室外ユニット２１は、室内ユニット２２の熱負荷を処理する熱源ユニットとして機能する。室内ユニット２２は、利用ユニットとして機能し、室内空間の空調（冷房運転や暖房運転など）を行う。
【００４５】
また、室外ユニット２１は室外側制御部２３を有し、室内ユニット２２は室内側制御部２４を有する。そして、室外側制御部２３は、室外ユニット２１の制御を行うために設けられたマイクロコンピュータ、メモリやモータ等を制御するインバータ回路等を有しており、室外側制御部２３と室内側制御部２４とは、伝送線１０により接続され制御信号等のやりとりを行うことができるようになっている。すなわち、室内側制御部２３と室外側制御部２４と制御部２３、２４間を接続する伝送線１０とによって、空気調和装置１全体の運転制御を行う空調制御部６が構成されている。空調制御部６は、後述する室内温度センサＴ１などの各種センサの検出信号を受けることができるように接続されるとともに、これらの検出信号等に基づいて各種機器および弁を制御することができるように接続されている。
【００４６】
また、室内ユニット２２は、設置される室内の温度を検出する室内温度センサＴ１を有する。室内温度センサＴ１は、取得した室内温度を室内温度情報として空調制御部６（室内側制御部２４）に送信する。室内温度情報を取得した室内側制御部２４は、室内温度情報を空調コントローラ３の通信部３５（後述参照）に送信する。なお、室内温度センサＴ１は、室内ユニット２２に搭載されるものに限らず、室内の温度を検出できて通信部３５に室内温度情報を送信可能なものであれば良く、例えば室内に設置されるリモコンに搭載されても良い。
【００４７】
（２）空調コントローラの概略構成
図２に、空調コントローラ３の概略構成図を示す。空調コントローラ３は、データ処理部３１と、メモリ３２と、表示部（出力部）３３と、通信インターフェイス等の通信部３５と、入力装置３４、制御部３６等によって構成されている。
【００４８】
データ処理部３１は、メモリ３２に記憶される演算プログラムに従って、メモリ３２や通信部３５から得られる運転データ処理、表示処理等の各種情報を演算処理して規定の情報を導出し、その情報をメモリ３２、表示部３３、および通信部３５に送信する。また、データ処理部３１は、室内温度処理手段（図示せず）を備えている。ここで、室内温度処理手段は、予め設定された目標温度を基準に作成される目標温度範囲に対して取得した室内温度がどのような関係にあるかを判定して、表示部に表示させる（後述の表示部の制御を参照）。
【００４９】
メモリ３２には、空気調和装置２を制御するために必要な各種制御テーブル（図示せず）、空気調和装置２の通信に必要な位置データ、グルーピングデータなどの各空気調和装置２に関する情報や各種演算プログラムなどが記憶されている。
【００５０】
表示部３３は、メモリ３２に記録されているデータに基づいて、データ処理部３１からの処理に応じて出力する。
【００５１】
通信部３５は、空気調和装置２を制御する空調制御部６と接続されており、空気調和装置２から室内温度などの各種運転データを受信したり、空気調和装置２に各種制御信号を送信したりしている。
【００５２】
入力装置３４は、利用者が空調コントローラ３に情報を入力可能な装置であり、各空気調和装置２に対して各種設定やその変更などを行うことができる。
【００５３】
制御部３６は、メモリ３２に記録されている演算プログラムなどにしたがって空調制御部６を通じて空気調和装置２の制御を行う。
【００５４】
＜表示部の制御＞
表示部３３には、複数の室内ユニット２２を示すアイコン４がカラー表示される（図３参照）。本実施形態では、複数のアイコン４が表示され、それぞれ複数の室内ユニット２２に対応している。すなわち、複数のアイコン４は、対応した室内ユニット２２の状態を表示する。アイコン４は、室内ユニット２２が有する室内温度センサＴ１が取得する室内温度が、予め設定された目標温度に対して最適であるかまたは不適であるかを表示する。
【００５５】
表示部３３は、室内ユニット２２の運転時に、目標温度に基づいて定められる所定の範囲である目標温度範囲（本実施形態では目標温度±１℃の範囲）に室内温度が収まっている場合、目標温度範囲の上限よりも室内温度が高い場合、および目標温度範囲の下限よりも室内温度が低い場合において、アイコン４の色を変更して表示する。すなわち、アイコン４の色は、室内ユニット２２毎に上記３つの場合に応じて３色の異なる色で表示される。以下、上記３つの場合に分けて説明する。また、室内ユニット２２が運転状態または停止状態であること、あるいは、入力装置３４による操作の有無に関わらず、空調コントローラ３は、定期的（例えば１分ごと）に室内温度を取得して、表示部３３にアイコン４の色を更新させる。また、表示部３３は、上述した３つの場合に対応した３色の異なる色でアイコン４の色を表示する他に、複数の室内ユニット２２のうちで停止状態にある室内ユニット２２に対応するアイコン４の色をグレーで表示する。
【００５６】
なお、図３は、表示部３３を表す概略図である。図４は、アイコン４の色と温度との関係を示す図である。
【００５７】
（１）目標温度範囲に室内温度が収まっている場合
表示部３３は、室内温度が目標温度範囲内にあるとデータ処理部３１が判定すると、その室内ユニット２２に対応するアイコン４を単一濃度の緑色で表示する。
【００５８】
（２）目標温度範囲の上限よりも室内温度が高い場合
表示部３３は、室内温度が目標温度範囲の上限よりも高いとデータ処理部３１が判定すると、その室内ユニット２２に対応するアイコン４を赤色で表示する。さらに、表示部３３は、目標温度範囲の上限からΔｔ〔℃〕（例えば、２℃）高くなるにつれて濃い色で４段階に表示する。なお、４段階目が最も濃い赤色で表示され、それ以上の温度になってもその濃さは変わらずに４段階目の濃さと同様である（図４参照）。すなわち、室内温度が目標温度範囲の上限よりも例えば１℃高い場合には最も薄い赤色で表示され、室内温度が目標温度範囲の上限よりも６℃以上高い場合には最も濃い赤色で表示される。
【００５９】
（３）目標温度範囲の下限よりも室内温度が低い場合
表示部３３は、室内温度が目標温度範囲の下限よりも低いとデータ処理部３１が判定すると、その室内ユニット２２に対応するアイコン４を青色で表示する。さらに、表示部３３は、目標温度範囲の下限からΔｔ〔℃〕（例えば、２℃）低くなるにつれて濃い色で４段階に表示する。なお、４段階目が最も濃い青色で表示され、それ以下の温度になってもその濃さは変わらずに４段階目の濃さと同様である（図４参照）。すなわち、室内温度が目標温度範囲の下限よりも例えば１℃低い場合には最も薄い青色で表示され、室内温度が目標温度範囲の下限よりも６℃以上低い場合には最も濃い青色で表示される。
【００６０】
＜特徴＞
（１）
本実施形態の空調コントローラ３では、予め設定された目標温度と検出されている室内温度との関係に基づいて、室内ユニット２２を表すアイコン４を緑色、赤色、青色の３色で表示し、その表示色を定期的に更新する。本実施形態では、室内温度が目標温度範囲に収まっている場合にはアイコン４を緑色で表示し、室内温度が目標温度範囲の上限よりも高い場合にはアイコン４を赤色で表示し、室内温度が目標温度範囲の下限よりも低い場合にはアイコン４を青色で表示する。
【００６１】
したがって、表示部３３は、室内温度が許容範囲の上限よりも高い場合と、室内温度が許容範囲内の場合と、室内温度が許容範囲の下限よりも低い場合との３つの状態を、表示することができる。このため、利用者は、室内温度と目標温度との関係が上記の３つの状態のうちのいずれかであることを直感的に認識することができる。これにより、利用者は、目標温度と室内温度とに基づいて室内温度が目標温度の前後の所定範囲に収まっているか否かを例えば計算するなどして判断しなくとも、室内温度と目標温度とを認識することなく室内温度と目標温度との関係を把握することができる。
【００６２】
また、本実施形態の空調コントローラ３では、表示部３３がアイコン４の表示態様を所定期間毎（例えば１分毎）に自動更新して表示する。したがって、表示部３３は、室内温度と目標温度との関係がどの状態にあるかを、極力最新の情報に更新して表示することができる。このため、表示部３３に表示されている状態と、その時の室内温度と目標温度との関係とにズレが生じることを防ぐことができる。
【００６３】
（２）
本実施形態の空調コントローラ３では、表示部３３が、目標温度範囲から室内温度が外れている場合に、外れている度合いが大きいほど段階的に表示色の濃度を濃く表示する。
【００６４】
したがって、室内温度がどの程度目標温度範囲から外れているのかを表示することができる。このため、現在の室内温度の目標温度に対する関係を把握することができる。
【００６５】
＜変形例＞
（１）
上記実施形態では、表示部３３は、室内ユニット２２の運転／停止状態を表すのに、室内ユニット２２が停止の場合は、当該室内ユニット２２のアイコン４の色をグレーで表示しているが、これに限らない。例えば、図５に示すように、アイコン４ａの表示する領域を外側の第１領域Ａ１と内側の第２領域Ａ２とに分けて、第１領域Ａ１に室内ユニット２２の運転／停止状態を表示させても構わない。
【００６６】
具体的には、室内ユニット２２が運転状態の場合には、表示部３３は、アイコン４ａの第１領域Ａ１を単一濃度の緑色で表示する。そして、室内ユニット２２が停止状態の場合には、表示部３３は、アイコン４ａの第１領域Ａ１を単一濃度のグレーで表示する。第２領域Ａ２の表示方法については、上記実施形態のアイコン４の室内ユニット２２の運転状態における表示方法と同様である。すなわち、第２領域Ａ２では、対応する室内ユニット２２が停止状態であっても、目標温度に基づいて定められる所定の範囲である目標温度範囲（本実施形態では目標温度±１℃の範囲）に室内温度が収まっている場合、目標温度範囲の上限よりも室内温度が高い場合、および目標温度範囲の下限よりも室内温度が低い場合の３つの場合を判定して３色による表示を行う。
【００６７】
このように、アイコン４ａを２分割した領域で表示させることにより、室内ユニット２２が停止中であっても、目標温度と室内温度との関係を把握できる。なお、この場合の室内温度は、停止中の室内ユニット２２に最も近い位置にある運転中の室内ユニット２２に搭載された室内温度センサＴ１により検出される。また、全ての室内ユニット２２が停止中の場合には、室内ユニット２２に搭載されている室内温度センサＴ１以外の、室内に設置される室内温度センサ（例えば室内に設置されるリモコンに搭載される室内温度センサなど）により室内温度を検出する。
【００６８】
また、第１領域Ａ１と第２領域Ａ１との表示の役割を反対にして、第２領域において空気調和装置の運転／停止状態を表しても良い。また、この表示方法では、アイコン４ａを２つの領域に分割して表示していれば良く、外側の領域と内側の領域とに分割することに限定するものではない。例えば、アイコンを縦に分割したり横に分割したりするような形態であっても構わない。
【００６９】
（２）
上記実施形態では、表示部３３は、アイコン４の色を変化させて室内温度と目標温度範囲との関係を表しているが、これに限らない。例えば、図６に示すように、表示部３３ｂが、モノクロ表示の場合には、複数本のバー５を表示可能なアイコンとして、そのバー５の表示のさせ方によって、室内温度と目標温度範囲との関係を表しても良い。
【００７０】
具体的には、この場合には、表示部３３ｂは、アイコン４ｂにバー５を９本表示可能である。表示部３３ｂは、室内温度が目標温度範囲内に収まっている場合には、中央のバー５を一つだけ表示する。室内温度が目標温度範囲の上限よりも高い場合には、中央のバー５とその上段のバー５とを表示する。表示部３３ｂは、上段のバー５を４本表示可能であり、目標温度範囲の上限からΔｔ〔℃〕（例えば、２℃）高くなるにつれて上段のバー５のうち下から順番に段階的に表示する。すなわち、室内温度が目標温度範囲の上限よりも例えば１℃高い場合には中央のバー５とその直上のバー５とが表示され、室内温度が目標温度範囲の上限よりも６℃以上高い場合には中央のバー５と上段のバー５全てが表示される。室内温度が目標温度範囲の下限よりも低い場合には、中央のバー５とその下段のバー５とを表示する。表示部３３ｂは、下段のバー５を４本表示可能であり、目標温度範囲の下限からΔｔ〔℃〕（例えば、２℃）低くなるにつれて下段のバー５のうち上から順番に段階的に表示する。すなわち、室内温度が目標温度範囲の下限よりも例えば１℃低い場合には中央のバー５とその直下のバー５とが表示され、室内温度が目標温度範囲の下限よりも６℃以上低い場合には中央のバー５と下段のバー５全てが表示される。
【００７１】
（３）
上記実施形態では、表示部３３の制御を行う空調コントローラ３は、複数台の空気調和装置を運転制御する集中コントローラとして機能するものであるが、これに限らず、室内ユニット２２に対応して各室内ユニット２２の運転設定や目標温度設定を行うことができるリモコンであっても構わない。
【００７２】
（４）
上記実施形態では、表示部３３は、アイコン４の表示色のみにより対応する室内ユニット２の運転状態を表しているが、アイコン４の周辺に目標温度または室内温度を数値で補助的に表示しても構わない。したがって、特に操作せずとも、目標温度または室内温度を確認できる。このため、利用者は省エネや快適性などの観点からよりきめ細かい対応をすることができる。
【００７３】
（５）
上記実施形態では、空調コントローラ３は、複数台の空気調和装置を制御しているが、制御するのは複数台の空気調和装置に限らずに１台の空気調和装置であっても構わない。
【産業上の利用可能性】
【００７４】
本発明に係る空調コントローラは、目標温度とそのときの室内温度との関係が最適な状況にあるかを一目で判断できルという効果を奏しており、空気調和装置の運転状態を表示する表示部を有する空調コントローラ等として有用である。
【符号の説明】
【００７５】
１            空気調和制御システム
２            空気調和装置
３            空調コントローラ
４，４ａ，４ｂ  アイコン
２１            室内ユニット（室内機）
３３，３３ａ，３３ｂ  表示部（表示手段）
３４            入力装置（目標温度設定手段、操作手段）
３５            通信部（室内温度取得手段）
Ｔ１            室内温度センサ（室内温度検出手段）
【先行技術文献】
【特許文献】
【００７６】
【特許文献１】特開２００１−９９４５７号公報
【図１】
2011027380.tif 000003
【図２】
2011027380.tif 000004
【図３】
2011027380.tif 000005
【図４】
2011027380.tif 000006
【図５】
2011027380.tif 000007
【図６】
2011027380.tif 000008